(57)【要約】【課題】簡易に防水ができ、コストもかからないコネクタハウジングを提供することを目的とする【解決手段】オスコネクタハウジング１ａとメスコネクタハウジング１ｂを組み合わせてなるコネクタハウジングにおいて、前記オスコネクタハウジング１ａと前記メスコネクタハウジング１ｂの嵌合部２ａ、２ｂの合わせ面４ａ、４ｂに凸部９を設ける。又は、前記オスコネクタハウジング１ａと前記メスコネクタハウジング１ｂの嵌合部２の側壁面５の周方向に前記オスコネクタハウジング１ａ又はメスコネクタハウジング１ｂと一体となった防水用の凸部１１又は凹部を設ける。【選択図】  図１
2005108499.tif 000002
【特許請求の範囲】
【請求項１】
オスコネクタハウジングとメスコネクタハウジングを組み合わせてなるコネクタハウジングにおいて、前記オスコネクタハウジングと前記メスコネクタハウジングの嵌合部の合わせ面に凸部を設けたことを特徴とするコネクタハウジング。
【請求項２】
オスコネクタハウジングとメスコネクタハウジングを組み合わせてなるコネクタハウジングにおいて、前記オスコネクタハウジングと前記メスコネクタハウジングの嵌合部の側壁面の周方向に前記オスコネクタハウジング又はメスコネクタハウジングと一体となった防水用の凸部又は凹部を設けたことを特徴とするコネクタハウジング。
【請求項３】
オスコネクタハウジングとメスコネクタハウジングを組み合わせてなるコネクタハウジングにおいて、前記オスコネクタハウジングと前記メスコネクタハウジングの嵌合部の合わせ面に凸部、前記オスコネクタハウジングと前記メスコネクタハウジングの嵌合部の合わせ面に凸部又は凹部を設けたことを特徴とするコネクタハウジング。
【請求項４】
オスコネクタハウジング又はメスコネクタハウジングの嵌合部の側壁面に、合わせ方向に形成された排水溝を設けたことを特徴とする請求項１〜３記載のコネクタハウジング。
【発明の詳細な説明】
【技術分野】
【０００１】
本発明は、自動車等の配線に用いられるコネクタハウジングに関するものである。また、より詳しくは、コネクタハウジングに挿入された端子間同士の電流リークを防ぐことができるコネクタハウジングに関するものである。
【背景技術】
【０００２】
一般に、自動車のドアのドアパネル内部のパワーウィンドをはじめとする電装品の配線、エアーコンディションユニットの配線、そしてテールライト等の配線に用いられるコネクタハウジングはいずれも車内に設置されるものであるため、直接水滴にさらされるエンジンルーム内における配線に用いられるコネクタハウジングほど防水性の要求は高くないと言われている。
【０００３】
そのため、こういった場所で用いられるコネクタハウジングは、図５のような一対のオスコネクタハウジング１ａとメスコネクタハウジング１ｂを単純に接続したものが多かった。すなわち、オスコネクタハウジング１ａの嵌合部２ａとメスコネクタハウジング１ｂの嵌合部２ｂとを嵌合することにより両コネクタハウジング１ａ、１ｂを嵌合接続したものである。
【０００４】
オスコネクタハウジング１ａの嵌合部２ａは図中の矢印で示した合わせ方向と平行な合わせ面４ａと合わせ方向と垂直な側壁面５ａを有している。また、メスコネクタハウジング１ｂの嵌合部２ｂも同様に、合わせ方向と平行な合わせ面４ｂと合わせ方向と垂直な側壁面５ｂを有している。なお、図５において、３ａ、３ｂは、以下で説明にするように端子に接続する電線をコネクタハウジング１ａ、１ｂの外部へ引き出すための電線引出側開口端である。
【０００５】
ここで図５（ｂ）及び図６に示すように、オスコネクタハウジング１ａの嵌合部２ａの合わせ面４ａには端子挿入孔６ａが開口し、雌端子８ａが挿入される。雌端子８ａには電線７が接続され、その電線７は電線引出側開口端３ａからオスコネクタハウジング１ａの外部へ引き出されている。また、メスコネクタハウジング１ｂの嵌合部２ｂの合わせ面４ｂでも同様に、端子挿入孔６ｂが開口し、雄端子８ｂが挿入される。雄端子８ｂには電線７が接続され、その電線７は電線引出側開口端３ｂからメスコネクタハウジング１ｂの外部へ引き出されている。
【０００６】
ところで、ドアパネル内部の電装品やテールライト等の配線に使用されるコネクタハウジング１ａ、１ｂは、ほぼ密閉された空間内で使用されることが多い。そのため、コネクタハウジング１ａ、１ｂに直接水滴が付かなくても、密閉空間内の湿度が高い場合には水滴が凝縮して、空間中のコネクタハウジング１ａ、１ｂの上部にある機器類に付着する。そしてこれがコネクタハウジング１ａ、１ｂに滴り落ちる場合がある。コネクタハウジング１ａ、１ｂに滴り落ちた水滴は、コネクタハウジング１ａ、１ｂの嵌合部２ａ、２ｂに達する。また、エアーコンディションユニットの配線に使用されるコネクタハウジング１ａ、１ｂについても、冷気ダクトに凝縮した水滴がコネクタハウジング１ａ、１ｂに滴り落ち、嵌合部２ａ、２ｂに達する場合もある。
【０００７】
ここで、従来のコネクタハウジング１ａ、１ｂは、オスコネクタハウジング１ａとメスコネクタハウジング１ｂとの嵌合部２ａ、２ｂの合わせ面４ａ、４ｂは嵌合接続した状態では、わずかな隙間が開けられた状態で対向している。そのため、嵌合部２ａ、２ｂの合わせ面４ａ、４ｂにまで達した水滴は、そのわずかな隙間を毛細管現象によって合わせ面４ａ、４ｂの全面に広がって端子挿入孔６ａ、６ｂに達してしまう。端子挿入孔６ａ、６ｂに達した水によって、複数の雌端子８ａ、雄端子８ｂ間が連結されて、電流がリークする虞がある。
【０００８】
特に、近年の電線の軽量化の要請より、電線７の芯線として従来の銅芯線に代えてアルミニウム芯線を用いることが検討されている。このような場合は、電流のリークが起きるばかりでなく、電解作用によりわずかな水分によってアルミ電線７の接続部で腐食が生ずることが予想される。
【０００９】
このような電流のリークを防止するために、エンジンルーム内で使用されるようなシールリング等を取付けたコネクタハウジングから構成される防水コネクタを使用することが考えられる。しかしながら、かかる防水コネクタを使用するのは、コストアップにつながという問題がある。
【００１０】
そのため、特許文献１に記載のようなコネクタが知られている。このコネクタは、コネクタハウジングの嵌合部２ａ、２ｂにおける相手コネクタとの合わせ面４ａ、４ｂの端子挿入孔６ａ、６ｂの間において上下に形成された溝を設けたものである。これにより、嵌合部２ａ、２ｂの合わせ面４ａ、４ｂに浸入した水滴が溝に沿って外部に導き出されるので、端子挿入孔６ａ、６ｂに達しないので、複数の雌端子８ａ、雄端子８ｂ間が連結されて電流がリークする虞がなくなる。
【００１１】
【特許文献１】特開２００２−２２２６７３号公報
【発明の開示】
【発明が解決しようとする課題】
【００１２】
本発明の目的は、上記従来技術に係るコネクタハウジングと同様に、端子間の電流リークを防ぐことができるコネクタハウジングについてコストが安いものを提供することを目的とする。
【００１３】
また、簡易に端子間の電流リークを防ぐことができるコネクタハウジングを提供することをも目的とする。
【課題を解決するための手段】
【００１４】
本発明は、請求項１、請求項２、請求項３及び請求項４の発明からなる。
請求項１に係るコネクタハウジングは、オスコネクタハウジングとメスコネクタハウジングを組み合わせてなるコネクタハウジングにおいて、前記オスコネクタハウジングと前記メスコネクタハウジングの嵌合部の合わせ面に凸部を設けたことを特徴とする。
【００１５】
請求項２に係るコネクタハウジングは、オスコネクタハウジングとメスコネクタハウジングの嵌合部の側壁面の周方向に前記オスコネクタハウジング又はメスコネクタハウジングと一体となった防水用の凸部又は凹部を設けたことを特徴とする。
【００１６】
請求項３に係るコネクタハウジングは、オスコネクタハウジングとメスコネクタハウジングを組み合わせてなるコネクタハウジングにおいて、前記オスコネクタハウジングと前記メスコネクタハウジングの嵌合部の合わせ面に凸部、前記オスコネクタハウジングと前記メスコネクタハウジングの嵌合部の合わせ面に凸部又は凹部を設けたことを特徴とする。
【００１７】
請求項４に係るコネクタハウジングは、請求項１〜３記載のコネクタハウジングにおいて、オスコネクタハウジング又はメスコネクタハウジングの嵌合部の側壁面に合わせ方向に形成された排水溝を設けたことを特徴とする。
【発明の効果】
【００１８】
請求項１の発明に係るコネクタハウジングは、嵌合部の合わせ面に凸部を設けることにより、合わせ面に毛細管現象が発生しない程度の隙間を生じさせることができるので、従来のように合わせ面に達した水滴が合わせ面同士の隙間を毛細管現象によって合わせ面の全面に広がって端子挿入孔に浸入し、端子に到達するのを防ぐことができる。そのため、端子の電流リークのおそれを減少させることができる。また、合わせ面に凸部を設けるだけの簡易な構成なので、コストがかからない。
【００１９】
請求項２の発明に係るコネクタハウジングは、嵌合部の側壁面の周方向に設けた凸部又は凹部により、嵌合部の側壁面からコネクタハウジングの嵌合部の合わせ面に達しようとする水滴を、阻止することができる。また、凸部又は凹部はコネクタハウジングと一体となった簡易な構成なので、これを一体成型することができ、コストがかからない。
【００２０】
請求項３の発明に係るコネクタハウジングは、請求項１記載の嵌合部の合わせ面に凸部を設けたもの、及び、請求項２記載の嵌合部の側壁面の周方向に凸部又は凹部が設けたものを組み合わせている。そのため、発明の効果をより意義あらしめられる。
【００２１】
請求項４の発明に係るコネクタハウジングは、嵌合部の側壁面に排水溝が形成されているので、コネクタハウジングの嵌合部の合わせ面又は側壁面に達した水滴はこの溝にそってコネクタハウジングの外部へ排出されるので、発明の効果を一層意義あらしめられる。
【発明を実施するための最良の形態】
【００２２】
本発明に係るコネクタハウジングの実施の形態について図１を参照しながら具体的に説明する。本発明に係るコネクタハウジング１は、オスコネクタハウジング１ａとメスコネクタハウジング１ｂを組み合わせたものからなっている。コネクタハウジング１ａ、１ｂの構造は、図５の従来のコネクタハウジング１ａ、１ｂと全く同様に、嵌合部２ａ、２ｂと電線引出側開口端３ａ、３ｂを有している。
【００２３】
図１（ａ）のように、オスコネクタハウジング１ａの嵌合部２ａは図中の矢印で示した合わせ方向と平行な合わせ面４ａと合わせ方向と垂直な側壁面５ａとからなっている。また、メスコネクタハウジング１ｂの嵌合部２ｂも同様に、合わせ方向と平行な合わせ面４ｂと合わせ方向と垂直な側壁面５ｂとからなっている。
【００２４】
この構成により、オスコネクタハウジング１ａの嵌合部２ａをメスコネクタハウジング１ｂの嵌合部２ｂに挿入して両者を嵌合接続することができる。嵌合接続したとき、各コネクタの合わせ面４ａ、４ｂは図中の矢印の合わせ方向に垂直な方向で互いに対向し、側壁面５ａ、５ｂは矢印の合わせ方向と平行な方向で対向する（図１（ａ）参照）。
【００２５】
オスコネクタハウジング１ａの嵌合部２ａの合わせ面４ａには端子挿入孔６ａが開口し、後述するように該端子挿入孔６ａには雌端子８ａが挿入されることになる。また、メスコネクタハウジング１ｂの嵌合部２ｂの合わせ面４ｂにも同様に、端子挿入孔６ｂが開口し、該端子挿入孔６ｂには雄端子８ｂが挿入されることになる。
【００２６】
本発明に係るコネクタハウジングの特徴は、嵌合部２ａ、２ｂの合わせ面４ａ、４ｂに凸部を設けることである。すなわち、図１に示したようにメスコネクタハウジング１ｂの合わせ面４ｂに凸部９を設けている。このような凸部９を設けることにより、オスコネクタハウジング１ａとメスコネクタハウジング１ｂの接続を完了したときに、嵌合部２ａ、２ｂの合わせ面４ａ、４ｂ同士に隙間Ｓを発生させることができる（図１（ａ）参照）。この隙間Ｓは、嵌合部２ａ、２ｂの合わせ面４ａ、４ｂに達した水滴が毛細管現象により合わせ面４ａ、４ｂ全体に広がらない程度の隙間となる。
【００２７】
したがって、合わせ面４ａ、４ｂに達した水滴が合わせ面４ａ、４ｂの隙間を毛細管現象によって合わせ面４ａ、４ｂの全面に広がり端子挿入孔６ａ、６ｂに浸入し、端子８ａ、８ｂに到達するのを防ぐことができる。そのため、複数の端子間８ａ又は８ｂが導通されるのを防止することができる。ここで、凸部９は図１に示したような点状のものばかりでなく、線状のものを用いても良い。
【００２８】
図２は本発明に係るコネクタハウジングの他の実施の形態を示したもので、オスコネクタハウジング１ａの嵌合部２ａの側壁面５ａの周方向にそのオスコネクタハウジング１ａと一体となった防水用の凸部１１を設けたものである。これにより、コネクタハウジングの嵌合部２ａ、２ｂの合わせ面４ａ、４ｂに達しようとする水滴は、側壁面５ａを一周する凸部１１により、阻止される。また、凸部１１はオスコネクタハウジング１ａと一体となっているので、これを一体成型することができ、コストもアップしない。
【００２９】
図２においては、防水用の凸部１１を設けたものであるが、これに替えて、側壁面５ａ（５ｂ）の周方向に凹部を設けても良い。これにより、コネクタハウジング１ａ、１ｂの嵌合部２ａ、２ｂの合わせ面４ａ、４ｂに達しようとする水滴を、凹部にたまらせることができるので、水滴が合わせ面４ａ、４ｂに至るのを阻止できる。ここで、凸部１１又は凹部は嵌合部２の側壁面５の周方向に連続で設ける必要はなく、合わせ面４ａ、４ｂに達する水滴を阻止できる限り一部に不連続点が存在していてもよい。
【００３０】
以上、嵌合部２ａ、２ｂの合わせ面４ａ、４ｂに設けた凸部９、嵌合部２の側壁面５の周方向に設けた凸部１１又は凹部は、コネクタハウジング１ａ、１ｂのうち、オスコネクタハウジング１ａの側のみ、メスコネクタハウジング１ｂの側のみ、あるいはオスコネクタハウジング１ａとメスコネクタハウジング１ｂの両方に設けてもよい。
【００３１】
なお、図１の実施の形態では、嵌合部の合わせ面２ａ、２ｂに凸部９を設けたものであり、また、図２の他の実施の形態では、嵌合部２ａ、２ｂの側壁面５の周方向に防水用の凸部１１又は凹部を設けたものである。しかしながら、これらの形態は単独である必要はなく、図１の実施の形態と図２の他の実施の形態とを組み合わせた図３のような形態であっても良い。すなわち、図３のように、嵌合部の合わせ面２ａ、２ｂに凸部９を設け、嵌合部２ａ、２ｂの側壁面５の周方向に防水用の凸部１１又は凹部を設ける。
【００３２】
さらに、図４は本発明に係るコネクタハウジングのさらに他の実施の形態を示したもので、オスコネクタハウジング１ａ（又はメスコネクタハウジング１ｂ）の嵌合部２の側壁面５に、合わせ方向（図４の紙面に垂直方向）に形成された排水溝１０を設けたものである。これによりコネクタハウジング１ａ、１ｂの嵌合部２の合わせ面４ａ、４ｂ又は側壁面５に達した水滴をこの溝１０にそってコネクタハウジング１ａ、１ｂの外部へ排出させることができるので、発明の効果を一層意義あらしめることができる。
【００３３】
すなわち、図１に示したような、嵌合部２ａ、２ｂの合わせ面４ａ、４ｂに凸部９を設けたコネクタハウジング１ａ、１ｂと併用した場合は、隙間Ｓに留まっている水滴をこの溝１０にそってコネクタハウジング１ａ、１ｂの外部へ排出させることができる。
【００３４】
また、図２に示したような防水用の凸部１１又は凹部を設けたコネクタハウジング１ａ、１ｂと併用した場合は、側壁面５を一周する凸部１１により阻止された水滴をこの溝１０にそってコネクタハウジングの外部へ排出させることができる。
【００３５】
図６は、上記構成のコネクタハウジングを実際に使用する場合の説明図である。この図では、オスコネクタハウジング１ａの嵌合部２ａの合わせ面４ａに開口した端子挿入孔６ａに雌端子８ａが挿入される。雌端子８ａには電線７が接続され、その電線７は電線引出側開口端３ａからオスコネクタハウジング１ａの外部へ引き出されている。また、メスコネクタハウジング１ｂの嵌合部２ｂの合わせ面４ｂに開口した端子挿入孔６ｂに雄端子８ｂが挿入される。雄端子８ｂには電線７が接続され、その電線７は電線引出側開口端３ｂからメスコネクタハウジング１ｂの外部へ引き出されている。
【図面の簡単な説明】
【００３６】
【図１】本発明の一実施形態に係るコネクタハウジングであって、（ａ）はオスコネクタハウジングとメスコネクタハウジングを嵌合させた状態の断面図、（ｂ）はオスコネクタハウジングとメスコネクタハウジングの正面図である。
【図２】本発明の他の実施の形態に係るコネクタハウジングであって、（ａ）はオスコネクタハウジングとメスコネクタハウジングを嵌合させた状態の断面図、（ｂ）はオスコネクタハウジングとメスコネクタハウジングの正面図である。
【図３】本発明のさらに他の実施の形態に係るコネクタハウジングであって、（ａ）はオスコネクタハウジングとメスコネクタハウジングを嵌合させた状態の断面図、（ｂ）はオスコネクタハウジングとメスコネクタハウジングの正面図である。
【図４】本発明の上記実施の形態の変形例に係るオスコネクタハウジングの正面図である。
【図５】従来の技術に係るコネクタハウジングであって、（ａ）はオスコネクタハウジングとメスコネクタハウジングを嵌合させた状態の断面図、（ｂ）はオスコネクタハウジングとメスコネクタハウジングの正面図である。
【図６】オスコネクタハウジングとメスコネクタハウジングを嵌合させ、電線が接続された状態の断面図である。
【符号の説明】
【００３７】
１ａ  オスコネクタハウジング
１ｂ  メスコネクタハウジング
２    嵌合部
３    電線引出側開口端
４    合わせ面
５    側壁面
６    端子挿入孔
７    電線
８    端子
９    凸部
１０  溝
１１  凸部
【図１】
2005108499.tif 000003
【図２】
2005108499.tif 000004
【図３】
2005108499.tif 000005
【図４】
2005108499.tif 000006
【図５】
2005108499.tif 000007
【図６】
2005108499.tif 000008